(57)【要約】【課題】物品管理の際のデータ入力や編集作業を簡単に行えるようにする。【解決手段】物品管理装置５の受信部７により複数の無線タグ１からのＩＤ情報を受信すると、ＣＰＵ１２では、受信した複数のＩＤ情報をＤＢ８と照合し、それら受信したＩＤ情報と一致するＩＤ情報を持つ物品情報を検索する。そして、ＩＤ情報とそれに対応するグループ情報及び物品情報とを対応付けた形に編集した状態で記憶部１１に記憶する。【選択図】      図１
2004292120.tif 000002
【特許請求の範囲】
【請求項１】
複数のＩＤ情報が記憶されたデータベースを利用する物品管理装置であって、
物品ごとに装着されたＩＤ情報を有する無線通信体から無線によりＩＤ情報を検出するＩＤ情報検出手段と、
上記ＩＤ情報検出手段により検出されたＩＤ情報に基づいて、上記データベースのＩＤ情報を用いた編集を行う編集手段とを備えたことを特徴とする物品管理装置。
【発明の詳細な説明】
【０００１】
【発明の属する技術分野】
本発明は、無線タグを利用して物品管理の際のデータ入力や編集作業を簡単に行えるようにした物品管理装置に関する。
【０００２】
【従来の技術】
従来、物品の管理は、管理対象物のリストを作成し、それを適宜、参照又は照合することにより行われている。一般に物品を管理するためのリストの作成及び編集は、パーソナルコンピュータによる手入力等で行っていた。
【０００３】
【発明が解決しようとする課題】
しかしながら、従来の管理対象物のリスト作成においては、一つ一つの物品の情報をテンキーやスイッチ類のみで入力しなければならないため、入力操作が煩雑で分かりにくいという欠点があった。このため、例えば棚卸しの場合、商品名、配置場所、値段商品、或いはＩＤ番号等の情報の追加登録をしたり、変更をしたりする際に、その作業が面倒であることに加えて、操作ミスや勘違いによる間違いが発生しがちであった。
【０００４】
本発明は、このような問題を解決するために成されたものであり、物品管理の際のデータ入力や編集作業を簡単に行えるようにすることを目的とする。
【０００５】
【課題を解決するための手段】
本発明の物品管理装置は、複数のＩＤ情報が記憶されたデータベースを利用する物品管理装置であって、物品ごとに装着されたＩＤ情報を有する無線通信体から無線によりＩＤ情報を検出するＩＤ情報検出手段と、上記ＩＤ情報検出手段により検出されたＩＤ情報に基づいて、上記データベースのＩＤ情報を用いた編集を行う編集手段とを備えた点に特徴を有する。
【０００６】
【発明の実施の形態】
以下、図面を参照して、本発明の実施の形態を説明する。
（第１の実施の形態）
図１は、本実施の形態における物品管理システムの構成を示す図である。同図において、１は無線タグであり、物品Ａ、Ｂ、Ｃ・・・ごとに装着される。無線タグ１は、外部からの電力を受けて通信を行うアンテナ２と、アンテナ２で受けた電力により無線タグ１内部の各回路に電源を供給する電源部３と、アンテナ２に渡すためのＩＤ情報を記録したメモリ４とを備えている。なお、無線タグ１が本発明でいう無線通信体に相当するものである。
【０００７】
５は無線タグ１からＩＤ情報を受け取り、各々の物品管理を行う物品管理装置である。物品管理装置５は、無線タグ１に電力を供給する電源立上回路６と、無線タグ１からのＩＤ情報を受信する受信部７と、複数のＩＤ情報と複数の物品情報（物品名等）とを１対１に関連付けて記憶するデータベース（ＤＢ）８と、無線タグ１からのＩＤ情報に基づくＤＢ８からの情報を表示する表示部９と、操作者（人間）が物品管理装置５を操作するための操作部１０と、ＤＢ８に記憶されたＩＤ情報を用いて編集したものを記憶する記憶部１１と、物品管理装置５全体を制御するＣＰＵ１２とを備えている。
【０００８】
次に、図２のフローチャートを参照して、本実施の形態の物品管理システムでの動作について説明する。まず、物品管理装置５では、操作部１０から送られる登録信号を受け取ると、電源立上回路６より複数の無線タグ１に電力を供給する（ステップＳ１）。
【０００９】
物品管理装置５から所定の範囲内にある各無線タグ１は電力が供給されることによりＩＤ情報を送信するので、受信部７により複数の無線タグ１からのＩＤ情報を受信する（ステップＳ２）。
【００１０】
ＣＰＵ１２では、受信した複数のＩＤ情報をＤＢ８と照合し、それら受信したＩＤ情報と一致するＩＤ情報を持つ物品情報を検索する（ステップＳ３）。
【００１１】
そして、受信した複数のＩＤ情報に一致したＤＢ８内の複数のＩＤ情報にグループ情報を付加し、記憶部１１に一時記憶するとともに、上記ステップＳ３で検索された物品情報をもとに物品リスト（グループ化すべき複数の物品情報を記載したもの）を作成し（ステップＳ４）、その作成した物品リストを表示部９に表示する（ステップＳ５）。この際、物品リストにグループとして登録すべき物品が過不足なく記載されているか、記載されていないかを問うメッセージを表示部９に表示する（ステップＳ６）。
【００１２】
上記メッセージ表示後、操作者によって操作された操作部１０からＹＥＳ信号或いはＮＯ信号を受け取る（ステップＳ７）。ＹＥＳの場合には、ＩＤ情報とそれに対応するグループ情報及び物品情報とを対応付けた形に編集、つまり、受信部７で受信した無線タグ１からのＩＤ情報に対応する複数の物品情報をグループ化した形に編集した状態で記憶部１１に記憶する（ステップＳ８）。それに対して、ＮＯの場合には、登録信号を自動的に発生させ（ステップＳ９）、上記ステップＳ１に戻って同じ処理を繰り返し行う。
【００１３】
以上述べたように本実施の形態では、複数の無線タグのＩＤ情報を一括して受信し、簡単にグループ化することができる。
【００１４】
具体的には、以下のような場合に適用することができる。例えば、旅行に出かける際に、旅行に持っていく各物品の無線タグからＩＤ情報を一括検出し、グループ化しておけば、旅行からの帰り際にグループのＩＤ情報を検出・照合することによって忘れ物を防止することができる。また、冷蔵庫に入っている各物品の無線タグからＩＤ情報を一括検出し、グループ化しておけば、買い物の際、物品リストをもとに必要な物をそろえることができる。
【００１５】
（第２の実施の形態）
第２の実施の形態は、上記第１の実施の形態で説明したようにグループ化したものを解除する例について説明する。なお、本実施の形態における物品管理システムの構成は上記第１の実施の形態で説明したものと同様であり、同一の構成要素には同一の符号を付し、その詳細な説明は省略する。
【００１６】
図３に示すように、物品Ａ、Ｂ、Ｃ、Ｄ、ＥがグループＩとして、物品Ａ、Ｂ、Ｆ、Ｇ、Ｈ、ＩがグループＩＩとしてグループ化されているとする。このようなグループ化は、例えば上記第１の実施の形態での動作によってなされる。
【００１７】
本例では、このようにグループ化された中から、例えば物品Ａ、Ｂを削除するものとする。図４のフローチャートを参照して、本実施の形態の物品管理システムでの動作について説明する。記憶部１１にＩＤ情報とそれに対応するグループ情報及び物品情報を対応付けて記憶した状況（図２のステップＳ８）において、図３に示すように、物品管理装置５の受信部７により削除したい物品Ａ、Ｂに装着された無線タグ１からのＩＤ情報を受信し、ＣＰＵ１２では、受信したＩＤ情報に基づいて、記憶部１１から物品Ａ、Ｂを含むグループを検索する（ステップＳ１０、Ｓ１１）。物品Ａ、Ｂを含むグループがない場合には、グループがないというメッセージを表示部９に表示する（ステップＳ１９）。
【００１８】
物品Ａ、Ｂを含むグループがある場合、例えば検索結果としてグループＩ、グループＩＩが物品Ａ、Ｂを含むという結果が出た場合には、グループＩ、グループＩＩを表示部９に表示する（ステップＳ１２）。
【００１９】
さらに表示部９に、表示されているグループ（グループＩ、グループＩＩ）のうち単数又は複数選択させるために選択を促すメッセージを表示する（ステップＳ１３）。例えば、グループＩが操作者によって選択されたならば、操作部１０からグループＩを選択するグループ選択信号を受け取る（ステップＳ１４）。
【００２０】
次に表示部９に、選択したグループＩの物品をすべて削除するか、グループＩの中から物品Ａ、Ｂだけを削除するかの選択を促すメッセージを表示する（ステップＳ１５）。
【００２１】
上記メッセージ表示後、操作者によって操作された操作部１０から送られる削除選択信号を受け取る（ステップＳ１６、Ｓ１７）。グループＩの物品をすべて削除する場合には、記憶部１１からグループＩの物品のグループ情報をすべて削除する（ステップＳ１８）。それに対して、グループＩの中からの物品Ａ、Ｂだけを削除する場合には、記憶部１１からグループＩにある物品Ａ、Ｂのグループ情報を削除する（ステップＳ２０）。
上記と同様な動作が、グループＩＩでも行われる。
【００２２】
以上のように本実施の形態では、グループの一部の物品をグループ解除したり、グループのすべての物品をグループ解除したりすることを簡単に行うことができる。
【００２３】
具体的には、以下のような場合に適用できる。例えば、旅行に出かけて物品を使用してなくなった場合には（例えば、旅先で消耗品を使い果たした場合）、その物品をグループリストから簡単に削除することができる。これにより、持ち物の中に物品がすべてない時には警告を出して忘れ物を防止することができる。また、冷蔵庫から物品を取り出して使用したときには、その物品の無線タグＩＤ情報を一括して検出し、削除することことができる。これにより、物品管理がより簡単になる。
【００２４】
（第３の実施の形態）
第３の実施の形態は、上記第１の実施の形態で説明したようにグループ化したグループ同士を検索して統合する例について説明する。なお、本実施の形態における物品管理システムの構成は上記第１の実施の形態で説明したものと同様であり、同一の構成要素には同一の符号を付し、その詳細な説明は省略する。
【００２５】
図５に示すように、物品Ａ、Ｂ、Ｃ、Ｄ、ＥがグループＩＶとして、物品Ｆ、Ｇ、Ｈ、ＩがグループＶＩとしてグループ化されているとする。このようなグループ化は、例えば上記第１の実施の形態での動作によってなされる。
【００２６】
本例では、このようにグループ化されたグループＩＶとグループＶＩとを検索して統合するものとする。図６のフローチャートを参照して、本実施の形態の物品管理システムでの動作について説明する。記憶部１１にＩＤ情報とそれに対応するグループ情報及び物品情報を対応付けて記憶した状況（図２のステップＳ８）において、図５に示すように、物品管理装置５の受信部７により統合したい物品Ａ、ＢのＩＤ情報及び統合したい物品Ｆ、ＧのＩＤ情報を受信し、ＣＰＵ１２では、受信したＩＤ情報に基づいて、記憶部１１から物品Ａ、Ｂを含むグループ、物品Ｆ、Ｇを含むグループを検索する（ステップＳ２１、Ｓ２２）。物品Ａ、Ｂを含むグループ、物品Ｆ、Ｇを含むグループがない場合には、グループがないというメッセージを表示部９に表示する（ステップＳ２９）。
【００２７】
物品Ａ、Ｂを含むグループ及び物品Ｆ、Ｇを含むグループがある場合、例えば検索結果としてグループＩＶ、グループＶが物品Ａ、Ｂを含み、グループＶＩ、グループＶＩＩが物品Ｆ、Ｇを含むという結果が出た場合には、これらグループ名を図７に示すように表示部９に表示する（ステップＳ２３）。
【００２８】
操作者により統合するグループが選択されて、操作部１０から送られる選択信号、本例の場合物品Ａ、Ｂを含むグループの中からグループＩＶを選択する選択信号、物品Ｆ、Ｇを含むグループの中からグループＶＩを選択する選択信号を受け取る（ステップＳ２４）。
【００２９】
次に表示部９に、グループＩＶ及びグループＶＩを統合するかどうかの選択を促すメッセージを表示する（ステップＳ２５）。
【００３０】
上記メッセージ表示後、操作者によって操作された操作部１０からの信号を受け取る（ステップＳ２６、Ｓ２７）。統合するという信号を受け取った場合には、グループＩＶ及びグループＶＩのグループ情報を新しいグループ情報（例えばグループＶＩＩＩ）に更新する（ステップＳ２８）。統合しないという信号を受け取った場合には、統合の工程を終わらせる。
【００３１】
或いは、図８に示すように、物品Ａ、Ｂ、Ｃ、Ｄ、ＥがグループＩＶとして、物品Ａ、Ｂ、Ｈ、ＩがグループＶとしてグループ化されているとする。このようなグループ化は、例えば上記第１の実施の形態での動作によってなされる。
【００３２】
本例では、このようにグループ化されたグループＩＶとグループＶを検索して統合するものとする。図６のフローチャートを参照して、本実施の形態の物品管理システムでの動作について説明する。記憶部１１にＩＤ情報とそれに対応するグループ情報及び物品情報を対応付けて記憶した状況（図２のステップＳ８）において、図８に示すように、物品管理装置５の受信部７により統合したい物品Ａ、ＢのＩＤ情報を受信し、ＣＰＵ１２では、受信したＩＤ情報に基づいて、物品Ａ、Ｂを含むグループを検索する（ステップＳ２１、Ｓ２２）。物品Ａ、Ｂを含むグループがない場合には、グループがないというメッセージを表示部９に表示する（ステップＳ２９）。
【００３３】
物品Ａ、Ｂを含むグループがある場合、例えば検索結果としてグループＩＶ、グループＶ、グループＸがそれぞれ物品Ａ、Ｂを含むという結果が出た場合には、これらグループ名を図９に示すように表示部９に表示する（ステップＳ２３）。
【００３４】
操作者により統合するグループが選択されて、操作部１０から送られる選択信号、本例の場合物品Ａ、Ｂを含むグループの中からグループＩＶ、グループＶを選択する選択信号を受け取る（ステップＳ２４）。
【００３５】
次に表示部９に、グループＩＶ及びグループＶを統合するかどうか選択を促すメッセージを表示する（ステップＳ２５）。
【００３６】
上記メッセージの表示後、操作者によって操作された操作部１０からの信号を受け取る（ステップＳ２６）。統合するという信号を受け取った場合には、グループＩＶ及びグループＶのグループ情報を新しいグループ情報（例えばグループＶＩＩＩ）に更新する（ステップＳ２８）。統合しないという信号を受け取った場合には、統合の工程を終わらせる。
【００３７】
以上のように本実施の形態では、物品のグループ間のグループ統合を簡単に行うことができる。
【００３８】
具体的には、以下のようなものに適用できる。例えば、旅行に出かけて物品を購入して持ち物が増えた場合には、購入した物品をグループとして登録し、さらにもともとある物品のグループに統合することによって物品のすべてを管理することができる。もし、グループの中で足りないものがあるときには、警告を出して忘れ物を防止することができる。また、買い物をしてきて冷蔵庫に物品を保管する場合、冷蔵庫にもともとあるものと購入した物品を統合することにより一括して管理することができるようになる。
【００３９】
以上第１〜３の実施の形態で説明したように、物品ごとに装着された無線タグから受信したＩＤ情報に基づいて、ＤＢ８内に記憶されている物品情報のグループ化、グループからの削除、グループの統合等の編集を容易に行うことができる。
【００４０】
このように無線タグからＩＤ情報を受信してデータを作成するので、例えば物品管理装置（ＩＤ検出端末）でボタンを押すだけの簡単な操作で、情報を自動的に登録したり、変更や削除をしたりすることができる。さらに、端末側に多くのキーを持つ大きなキーボードや操作性の悪い小型スイッチ等を装備する必要がなく、しかも、大規模なテキスト入力・編集処理、各種認識処理、解析処理、フォーマット変換処理等のプログラムが不要となるため、メモリ容量が小さくすることができる。これにより、端末の小型化、低コスト化、低消費電力化等の点でメリットがある。また、端末の操作者にとっても、キー入力操作や煩雑なスイッチ操作をする必要がないため、分厚いマニュアルを読んだり訓練したりすることなく、誰でも直ぐに使いこなせるというメリットがある。
【００４１】
（第４の実施の形態）
以下、図１０のフローチャートを参照して、第４の実施の形態について説明する。本実施の形態では、日常生活で使用される物品の一つ一つに固有の無線タグ１が装着されており、物品の所有者によって持ち物の登録・リスト作成（ＤＢの作成）が予め行われているものとする（ステップＳ３０）。
【００４２】
例えば、物品の所有者が外出する際に携帯する物品を一箇所にまとめて置き、物品管理装置５によりこれら携帯する各物品に装着された無線タグ１からＩＤ情報を検出して（ステップＳ３１）、それら検出したＩＤ情報に基づいてグループリストを作成する（ステップＳ３２）。
【００４３】
表示部９にグループリストの表示を行い、グループリストの確認を操作者に促すメッセージを表示して、操作者からグループリストを作成するか作成しないかの信号を受け取る（ステップＳ３３）。グループが間違っている等してグループリストを作成しない場合には、上記ステップＳ３１の複数のＩＤ情報を検出する処理に戻る。グループリストを作成する場合には、物品に対応させて記憶部１１にグループ情報を記憶させる（ステップＳ３４）。
【００４４】
グループの中で物品を削除したい場合には、削除する物品を一箇所に置き、グループを作って上記第２の実施の形態で説明したのと同様にして削除を行う。また、グループ間で物品を統合したい場合には統合する物品を一箇所に置き、グループを作って上記第３の実施の形態で説明したのと同様にして統合を行う。
【００４５】
操作者が外出する際、グループを選択して照合する操作を操作部１０によって行うと、物品リストと現在持っているものの無線タグのＩＤ情報を照合して（ステップＳ３５）足りないものがあるときには、その旨を表示部９に表示する（ステップＳ３６）。
【００４６】
なお、物品の一つ一つに固有の無線タグ１を装着する方法としては、例えば個人で自分の物品一つ一つに無線タグシール等を添付してＩＤリストを作り管理する（個人が任意に作ったＤＢ）ようにしてもよい。或いは、製造業者等が一括してすべての製造物に固有の無線タグ１を対応付けて付加し管理する（ＩＤ情報が統一されたＤＢ）ようにしてもよい。
【００４７】
以上のように物品のグループ化・グループの解除・グループの統合を簡単な操作で行うことができるので、忘れ物防止のための携帯品リスト作りに時間がかからず、効率的に忘れ物を防止することができる。
【００４８】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００４９】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００５０】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５１】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００５２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００５３】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００５４】
以下、本発明の実施態様の例を列挙する。
（実施態様１）  複数のＩＤ情報が記憶されたデータベースを利用する物品管理装置であって、
物品ごとに装着されたＩＤ情報を有する無線通信体から無線によりＩＤ情報を検出するＩＤ情報検出手段と、
上記ＩＤ情報検出手段により検出されたＩＤ情報に基づいて、上記データベースのＩＤ情報を用いた編集を行う編集手段とを備えたことを特徴とする物品管理装置。
【００５５】
（実施態様２）  上記データベースは各ＩＤ情報に物品情報を関連付けて記憶することを特徴とする実施態様１に記載の物品管理装置。
【００５６】
（実施態様３）  上記ＩＤ情報検出手段は複数の無線通信体から一括してＩＤ情報を検出可能であることを特徴とする実施態様１に記載の物品管理装置。
【００５７】
（実施態様４）  上記編集手段により上記データベースに記憶されたＩＤ情報のグループ化を行うことを特徴とする実施態様１に記載の物品管理装置。
【００５８】
（実施態様５）  上記ＩＤ情報検出手段により検出されたＩＤ情報にグループ情報を関連付けることによりグループ化を行うことを特徴とする実施態様４に記載の物品管理装置。
【００５９】
（実施態様６）  上記編集手段により既にグループ化されたＩＤ情報についてグループ解除を行うことを特徴とする実施態様１に記載の物品管理装置。
【００６０】
（実施態様７）  上記編集手段により既にグループ化されたグループ同士を統合することを特徴とする実施態様１に記載の物品管理装置。
【００６１】
（実施態様８）  表示手段を備えたことを特徴とする実施態様１に記載の物品管理装置。
【００６２】
（実施態様９）  複数のＩＤ情報が記憶されたデータベースを利用する物品管理方法であって、
物品ごとに装着されたＩＤ情報を有する無線通信体から無線によりＩＤ情報を検出する手順と、
上記ＩＤ情報検出手順により検出されたＩＤ情報に基づいて、上記データベースのＩＤ情報を用いた編集を行う手順とを有することを特徴とする物品管理方法。
【００６３】
（実施態様１０）  複数のＩＤ情報が記憶されたデータベースを利用する物品管理を行うためのコンピュータプログラムであって、
物品ごとに装着されたＩＤ情報を有する無線通信体から無線によりＩＤ情報を検出する処理と、
上記ＩＤ情報検出処理により検出されたＩＤ情報に基づいて、上記データベースのＩＤ情報を用いた編集を行う処理とをコンピュータに実行させることを特徴とするコンピュータプログラム。
【００６４】
（実施態様１１）  実施態様１０に記載のコンピュータプログラムを格納したことを特徴とするコンピュータ読み取り可能な記憶媒体。
【００６５】
【発明の効果】
以上述べたように本発明によれば、物品ごとに装着された無線通信体から無線によりＩＤ情報を検出し、それら検出されたＩＤ情報に基づいて、データベースに記憶されたＩＤ情報を用いた編集を行うことができるようにしたので、物品管理の際のデータ入力や編集作業を簡単に行うことができる。
【図面の簡単な説明】
【図１】物品管理システムの構成を示す図である。
【図２】第１の実施の形態の物品管理システムでの動作について説明するためのフローチャートである。
【図３】第２の実施の形態での物品管理の一例を説明するための図である。
【図４】第２の実施の形態の物品管理システムでの動作について説明するためのフローチャートである。
【図５】第３の実施の形態での物品管理の一例を説明するための図である。
【図６】第３の実施の形態の物品管理システムでの動作について説明するためのフローチャートである。
【図７】表示例を示す図である。
【図８】第３の実施の形態での物品管理の一例を説明するための図である。
【図９】表示例を示す図である。
【図１０】第４の実施の形態について説明するためのフローチャートである。
【符号の説明】
１        無線タグ
２        アンテナ
３        電源部
４        メモリ
５        物品管理装置
６        電源立上回路
７        受信部
８        データベース（ＤＢ）
９        表示部
１０      操作部
１１      記憶部
１２      ＣＰＵ
【図１】
2004292120.tif 000003
【図２】
2004292120.tif 000004
【図３】
2004292120.tif 000005
【図４】
2004292120.tif 000006
【図５】
2004292120.tif 000007
【図６】
2004292120.tif 000008
【図７】
2004292120.tif 000009
【図８】
2004292120.tif 000010
【図９】
2004292120.tif 000011
【図１０】
2004292120.tif 000012